(57)【要約】  ＩＰ電話端末装置が接続されるＬＡＮ群とそれらを結ぶインターネットからなるＩＰ電話網において、まず、試験手順を指示する試験シナリオ情報に従って、ＩＰ電話自動試験制御装置から測定機器にそのネットワーク設定の変更指示が送信され、測定機器のネットワーク設定が変更される。その後、試験シナリオに基づいて、対向する測定機器又はＩＰ電話機端末との間の試験手順（ＲＥＧＩＳＴＥＲ手順、ＳＩＰシグナリング手順、試験パケット送信手順）が測定機器において実施される。そして、測定機器による試験手順の実行結果が試験結果情報として収集される。
2009047829.tif 000002
【特許請求の範囲】
【請求項１】
ＩＰ電話端末装置が接続されるローカルエリアネットワーク群とそれらを結ぶインターネットからなるＩＰ電話網に、測定機器と該測定機器による自動試験を前記インターネット経由で制御するＩＰ電話自動試験制御装置とを接続して、該ＩＰ電話網を試験する方法であって、
試験手順を指示する試験シナリオ情報に従って、前記ＩＰ電話自動試験制御装置から前記測定機器にそのネットワーク設定の変更指示を送信する過程と、
該変更指示に基づいて前記測定機器のネットワーク設定を変更する過程と、
前記ネットワーク設定の変更後に、前記試験シナリオに基づいて、対向する前記測定機器又はＩＰ電話機端末との間の試験手順を前記測定機器に実施させる過程と、
前記測定機器による前記試験手順の実行結果を試験結果情報として収集する過程と、
を含むことを特徴とするＩＰ電話自動試験方法。
【請求項２】
前記測定機器のネットワーク設定は、該測定機器のＩＰアドレス、ＩＰ電話番号、該測定機器を前記インターネット上に登録するレジストリサーバの識別情報、又は該測定機器のシグナリングを制御するシグナリングサーバの識別情報である、
ことを特徴とする請求項１に記載のＩＰ電話自動試験方法。
【請求項３】
前記試験手順は、前記測定機器を前記インターネット上のレジストリサーバに登録する手順を含み、
該レジストリサーバへの登録の成否を収集することにより、前記レジストリサーバの生死確認試験を実施する過程を更に含む、
ことを特徴とする請求項２に記載のＩＰ電話自動試験方法。
【請求項４】
前記試験手順は、対向する前記測定機器又はＩＰ電話機端末との間のシグナリング手順を前記測定機器に実行させる手順を含み、
該シグナリング手順の成否を収集することにより、前記シグナリングリサーバ及び対向する前記測定機器又はＩＰ電話機端末の生死確認試験を実施する過程を更に含む、
ことを特徴とする請求項２に記載のＩＰ電話自動試験方法。
【請求項５】
前記測定機器のネットワーク設定の変更後に、該測定機器を自動的に再起動する過程を更に含む、
ことを特徴とする請求項１に記載のＩＰ電話自動試験方法。
【請求項６】
ＩＰ電話端末装置が接続されるローカルエリアネットワーク群とそれらを結ぶインターネットからなるＩＰ電話網に、測定機器と該測定機器による自動試験を前記インターネット経由で制御するＩＰ電話自動試験制御装置とを接続して、該ＩＰ電話網を試験するシステムであって、
前記ＩＰ電話自動試験制御装置内に設けられ、試験手順を指示する試験シナリオ情報に従って、前記測定機器にそのネットワーク設定の変更指示を送信する手段と、
前記測定機器内に設けられ、前記ネットワーク設定の変更指示に基づいて前記測定機器のネットワーク設定を変更する手段と、
前記測定機器内に設けられ、前記ネットワーク設定の変更後に、前記試験シナリオに基づいて、対向する前記測定機器又はＩＰ電話機端末との間の試験手順を実施する手段と、
前記ＩＰ電話自動試験制御装置内に設けられ、前記測定機器による前記試験手順の実行結果を試験結果情報として収集する手段と、
を含むことを特徴とするＩＰ電話自動試験システム。
【請求項７】
請求項６に記載のＩＰ電話自動試験制御装置。
【請求項８】
請求項６に記載の測定機器。
【発明の詳細な説明】
【技術分野】
【０００１】
本発明は、ＩＰ電話ネットワーク上で、複数のＳＩＰサーバ及び複数のレジストリサーバで構成されているＩＰ電話網にあるＩＰ電話端末装置を運用管理するネットワーク運用管理システムに関する。
【背景技術】
【０００２】
ＶｏＩＰ（Voice Over IP ）は、インターネット上で音声のやりとりを行うための技術である。最近普及の進んでいるＩＰ電話は、従来の電話に相当するものを、ＶｏＩＰとシグナリングを組み合わせてインターネット上で実現したものである。このシグナリングを実現するための代表的な技術がＳＩＰ（Session Initiation Protocol ）であり、ＩＰ電話等の端末間で、音声や映像、テキストメッセージの交換などを行うために必要なセッションの生成、変更、切断を行うプロトコルである。ＳＩＰは、ＩＥＴＦ（Internet Engineering Task Force ）で標準化が行われ、ＲＦＣ３２６１スタンダードトラックとして規定されている。ＳＩＰメッセージは、テキストで記述され、ＨＴＴＰ（Hyper Text Transfer Protocol）やＳＭＴＰ（Simple Message Transfer Protocol）を範として設計されたため、シンプルで拡張性が高く、インターネットと親和性が高いシグナリングプロトコルである。【０００３】
ＳＩＰにおいては、ＩＰ電話端末は、そのアドレス情報及び認証処理がインターネット上で複数あるレジストリサーバのうちの何れかにて管理され、また、そのシグナリングの中継がインターネット上で複数あるＳＩＰサーバのうちの何れかにて管理される。ＩＰ電話端末間のシグナリングメッセージは、１つ以上のＳＩＰサーバ間をバケツリレー式に転送されて相手のＩＰ電話顛末まで到達する。【０００４】
従来より、ＶｏＩＰネットワーク等のネットワーク上を流れるパケットの伝送品質（例えば、パケット損失率やパケット送受信時間）を測定することを目的として、任意のサービスを擬似する試験パケットを能動的に送信するアクティブ測定手法が提案されている（例えば、特許文献１）。【０００５】
このようなアクティブ測定方式のうち、パケットの伝送品質測定を行う測定装置（例えば、プローブ）として、複数のプローブを任意の測定拠点に配置し、複数のプローブ間で試験用パケットを送受信して、パケットの伝送品質を測定する技術が知られている。【０００６】
大規模ネットワークで複数のＳＩＰサーバにてＩＰ電話網が管理されている場合、企業ごとにＩＰ電話網を管理するＳＩＰサーバが分かれているケースが多い。このようなケースにおける従来のＩＰネットワーク品質測定試験の概要を、図１に示す。【０００７】
図１では、ＩＰ電話試験制御装置１００にて試験シナリオが投入される。その試験シナリオは測定機器に送信されることにより、測定条件が決定される。測定結果は、ＩＰ電話試験制御装置１００に転送され、管理されるシステムとなっている。【０００８】
この場合、各測定機器には固定のＩＰアドレス、及び電話番号が割り当てられる必要があり、各企業におかれているＩＰ電話端末からどのＳＩＰサーバにアクセスするかは、ＩＰ電話端末が設置されているエリアにより異なっている。このため、全てのエリアを対象に品質測定を行うためには、よりネットワーク的にＩＰ電話端末に近い場所に測定機器を設置する必要があり、結果的に多くの測定機器が設置される状況となっている。【０００９】
各測定対象のエリアの回線が集結する場所（例えばエッジルータや中継装置）に測定機器を設置し、測定対象エリアが変更になるたびに、設定情報を変更し使用する方法もある。しかしこの場合、測定機器において、擬似呼を発生させ品質測定を実施するためには、接続対象のレジストリサーバ、及びＳＩＰサーバが変更となるたびに、測定機器のＩＰアドレス、ＩＰ電話番号、及びサーバ設定等を手動で設定した上で機器を再起動し、設定内容を反映しなおす、という保守作業を行う必要が出てくる。【００１０】
このため、都度設定情報を変更する方式は、試験工数の増大、設定ミスなどの多発により、効率的な試験作業/運用が阻害されているという問題点を有している。【００１１】
また、従来のネットワーク運用管理システムにおける音声品質測定方式の一例が、下記特許文献１に記載されている。この文献に記載された音声品質測定方式では、試験サーバから、発側又は着側のＩＰ端末に接続されているスイッチに対して、接続先をバーチャルＬＡＮによって試験サーバに接続するように切替設定することにより、呼処理試験が実施される。【００１２】
しかし、この従来技術では、スイッチにバーチャルＬＡＮを追加する専用の機能が必要であり、一般的なマルチベンダの既存網には採用することが困難であるという問題点を有している。また、バーチャルＬＡＮを介しての試験となるため、帯域・パケットルーティングが実トラヒックと異なり、実回線の品質測定を実施できていることにはならないという問題点を有している。
【特許文献１】特開２００７−６０３９１号公報
【発明の開示】
【００１３】
本発明の課題は、測定機器のＩＰアドレス、ＩＰ電話番号、及びサーバ設定等を、その設置状況に従って自動変更可能とすることにある。
【００１４】
本発明は、ＩＰ電話端末装置が接続されるローカルエリアネットワーク群とそれらを結ぶインターネットからなるＩＰ電話網に、測定機器とその測定機器による自動試験をインターネット経由で制御するＩＰ電話自動試験制御装置とを接続して、ＩＰ電話網を試験する方法を前提とする。
【００１５】
本発明の態様において、まず、試験手順を指示する試験シナリオ情報に従って、ＩＰ電話自動試験制御装置から測定機器にそのネットワーク設定の変更指示が送信される。ネットワーク設定は、例えば、測定機器のＩＰアドレス、ＩＰ電話番号、測定機器をインターネット上に登録するレジストリサーバの識別情報（例えばＵＲＩ）、又は測定機器のシグナリング（例えばＳＩＰ）を制御するシグナリングサーバの識別情報（例えばＵＲＩ）である。
【００１６】
次に、その変更指示に基づいて測定機器のネットワーク設定が変更される。この場合に、測定機器が自動的に再起動されるように構成することができる。
【００１７】
続いて、ネットワーク設定の変更後に、試験シナリオに基づいて、対向する測定機器又はＩＰ電話機端末との間の試験手順が測定機器において実施される。
【００１８】
そして、測定機器による試験手順の実行結果が試験結果情報として収集される。
【００１９】
上述の発明の構成において、試験手順は、測定機器をインターネット上のレジストリサーバに登録する手順を含み、その登録の成否が収集されることにより、レジストリサーバの生死確認試験が実施されるように構成することができる。
【００２０】
また、試験手順は、対向する測定機器又はＩＰ電話機端末との間のシグナリング手順を測定機器に実行させる手順を含み、そのシグナリング手順の成否が収集されることにより、シグナリングリサーバ及び対向する測定機器又はＩＰ電話機端末の生死確認試験が実施されるように構成することができる。
【００２１】
上述の本発明の構成によれば、従来の手段に比べて、上位に測定機器を設置することが可能となるため、使用する測定機器の台数を減らすことが可能となる。
【００２２】
また、本発明の構成によれば、測定機器のＩＰアドレス、ＩＰ電話番号、測定機器をインターネット上に登録するレジストリサーバのＵＲＩ、又は測定機器のシグナリングを制御するＳＩＰサーバ等のＵＲＩ等の変更を自動で実施することが可能となるため、試験工数及び設定ミスなどが減少し、測定機器一台で多種の条件による品質測定、レジストリサーバの生死確認、及びＳＩＰサーバの生死確認等を行うことが可能となる。
【００２３】
また、本発明によれば、測定機器は、機器のＩＰを変更後に自発的に再起動を実施し、新しいＩＰアドレスを機器に対して自動で反映させることが可能となる。
【００２４】
本発明では、一般的なマルチベンダの既存網に対しても、測定機器を追加することのみで対応が可能であるため、導入が容易であり、実回線を使用した品質測定を実施できるため、適切な品質測定結果を得られるという点において、従来にない優れた効果を得ることができる技術である。
【００２５】
なお、前述した特許文献１は、測定装置からの接続先指定を自動的に変えて試験を実施することを目的としているが、本発明は、測定機器自体のＩＰアドレス、ＩＰ電話番号、及びサーバ設定等を試験シナリオに従って自動変更することにより、測定機器の使い回しを可能とする点が新規である。
【図面の簡単な説明】
【００２６】
【図１】従来のＩＰネットワーク品質測定試験の概要を示す図である。
【図２】本発明に係わるＩＰ電話自動試験の概要を示す図である。
【図３】ＩＰ電話自動試験制御装置の構成図である。
【図４】対向する２つの測定機器間で自動試験が実施される場合の動作シーケンス図である。
【図５】ＩＮＶＩＴＥメッセージの送信に対して着信側の測定機器から何らかのエラーメッセージが返却された場合の動作シーケンス図である。
【図６】ＩＮＶＩＴＥメッセージの送信に対して着信側の測定機器から何の応答もない場合の動作シーケンス図である。
【図７】試験シナリオ情報の情報フォーマット例（測定機器間での試験が実施される場合）を示す図である。
【図８】試験シナリオ情報の情報フォーマット例（測定機器−ＩＰ電話機間での試験が実施される場合）を示す図である。
【図９】品質測定結果情報の情報フォーマット例を示す図である。
【発明を実施するための最良の形態】
【００２７】
以下、図面を参照しながら、本発明を実施するための最良の形態を詳細に説明する。【００２８】
なお、以下に示す実施形態は、本発明に係るＩＰ電話自動試験手法をＩＰ網などのネットワークと接続された品質測定装置に適用した場合について説明する。【００２９】
図２は、本発明に係わるＩＰ電話自動試験の概要を示す図である。【００３０】
なお、図２においては、本発明に係わるＩＰ電話自動試験手法を適用したＩＰ電話自動試験制御装置２００を示している。また、このＩＰ電話自動試験制御装置２００は、ＩＰネットワーク上に設置されている測定機器２０１に対して、後述する測定シナリオの設定、及び測定結果の取得を行うものである。【００３１】
まず、図２に示した各種装置の接続関係について説明する。【００３２】
図２に示されるように、コアネットワーク２０６には、本発明に係わるＩＰ電話自動試験手法を適用したＩＰ電話自動試験制御装置２００と、レジストリサーバ２０２（Ａ〜Ｃ）と、ＳＩＰサーバ２０３（Ａ〜Ｃ）とが接続されている。【００３３】
コアネットワーク２０６に設けられた中継装置２０５配下には、各伝送路（図２の伝送路Ａ〜Ｅ参照）を介して、中継装置２０４が階層的に接続されており、その配下の各エリアのエッジルータには電話機（たとえば、ＩＰ電話機）が接続されている。なお、各エリアの配下に収容される電話機のグループを、テナント／企業（図２において三角で示されている）と呼ぶことにする。【００３４】
更に、各エリアにつながる中継装置２０４には、本発明に係わるＩＰ電話自動試験手法を適用した測定機器２０１（α、β）が接続されている。【００３５】
ここで、レジストリサーバ２０２（Ａ〜Ｃ）とは、各エリア（図２のエリアａ〜ｃ参照）に存在するＩＰ電話機の情報登録と、ＩＰ電話機の情報登録の認証を行う機能を有したサーバ装置である。【００３６】
ここで、ＳＩＰサーバ２０３（Ａ〜Ｃ）とは、ＳＩＰ端末のアドレスを管理するデータベースを保有し、ＳＩＰを用いた電話通信を管理するサーバ装置である。【００３７】
また、中継装置２０４、２０５とは、ゲートウェイやルータといった通信データの中継やルーティングをおこなう装置である。【００３８】
このとき、テナント／企業Ａの電話機は、情報を登録するためレジストリサーバＡ２０２に接続し、テナント／企業ＡのＳＩＰ端末のアドレスはＳＩＰサーバＡ２０３に登録される。同様に、テナント／企業Ｂの電話機の情報は、レジストリサーバＢ２０２を介し、ＳＩＰサーバＢ２０３に登録される。同様に、テナント／企業Ｃの電話機の情報は、レジストリサーバＣ２０２を介し、ＳＩＰサーバＣ２０３に登録される。【００３９】
このように、電話機の設置されるテナント／企業によって、接続されるレジストリサーバ及びＳＩＰサーバが異なるため、品質測定の試験は、各テナント／企業ごとに実施する必要性が生じる。【００４０】
図２に示されるように、各エリアに接続されている中継装置２０４には、本発明に係わるＩＰ電話自動試験手法を適用した測定機器２０１がそれぞれ接続されており、測定機器２０１は、各テナント／企業配下に接続されている電話機と同等の機能を有し、レジストリサーバ２０２に向けてのＲＥＧＩＳＴＥＲリクエスト、ＳＩＰメッセージの発行を行い、通話ＲＴＰ（Real-time Transport Protocol）パケットの送受信を行う。【００４１】
測定機器２０１は、ＳＩＰメッセージ、通話ＲＴＰパケットの送受信結果を、上位のＩＰ電話自動試験制御装置２００に随時通知する。【００４２】
試験シナリオの内容が決定後、ＩＰ電話自動試験制御装置２００が、試験シナリオを送信用、着信用となる測定機器２０１に送信し、ＩＰアドレス、電話番号、接続先レジストリサーバの設定を行う。設定完了後、測定機器２０１は、新規のＩＰアドレスが設定されたため、自動的に再起動する機能を有する。【００４３】
なお、測定機器２０１が任意の箇所に接続されたときに、ＩＰ電話自動試験制御装置２００が測定機器２０１にネットワーク経由で情報を送れるようにするために、測定機器２０１にネットワーク接続可能なＩＰアドレスを手動で設定できるようにしてもよい。【００４４】
測定機器２０１の起動完了後、送信用及び着信用の各測定機器２０１は、自身が接続すべきレジストリサーバ２０２へＲＥＧＩＳＴＥＲリクエストを送信する。その後、送信用測定機器２０１は、ＩＰ電話自動試験制御装置２００から送られてくる試験シナリオに沿って、ＳＩＰセッションを開始する。【００４５】
図３は、ＩＰ電話自動試験制御装置２００の構成図である。【００４６】
図３に示されるように、ＩＰ電話自動試験制御装置２００は、制御部３００及び記憶部３０１を備えている。そして、制御部３００は、試験シナリオ作成／送信部３０２と、品質管理部３０３とを備えており、記憶部３０１は、試験シナリオ情報３０４と、試験結果情報３０５とを記憶する。【００４７】
試験シナリオ作成／送信部３０２は、試験対象となる測定機器２０１（図２）に対し、試験シナリオ情報３０４に基づく送信試験シナリオの作成、及び測定機器２０１への試験シナリオの送信を行う処理部である。【００４８】
品質管理部３０３は、各測定機器２０１から返信される測定結果を受信し、測定結果情報３０５の情報を更新する処理部である。【００４９】
次に、本発明の実施形態について、上述の構成に基づく動作について、図４〜図６の動作シーケンス図、及び図７〜図９の情報フォーマット図に基づいて説明する。【００５０】
図４は、ＩＰ電話自動試験制御装置２００による制御のもとで、対向する２つの測定機器２０１間で自動試験が実施される場合の動作シーケンス図である。なお、説明の簡単のため、発信側測定機器２０１と着信側測定機器２０１は、同じレジストリサーバＡ２０２及びＳＩＰサーバＡ２０３に属すると仮定して説明する。これらが異なる場合には、図４のレジストリサーバＡ２０２及びＳＩＰサーバＡ２０３は、発信側及び着信側で異なるものとなる。【００５１】
まず、ＩＰ電話自動試験制御装置２００内の試験シナリオ作成／送信部３０２が、記憶部３０１から試験シナリオ情報３０４を読出すことにより、試験シナリオを抽出する（ステップＳ４０１）．
図７は、試験シナリオ情報３０４の情報フォーマット例を示す図である。この情報は、各試験シナリオに対応する各行毎に、発信側情報及び着信側情報それぞれ、発信側測定機器２０１の識別子、測定機器２０１のＩＰアドレス／ＵＲＩ、接続先レジストリサーバ２０２のＵＲＩ、及び接続先ＳＩＰサーバ２０３のＵＲＩを保持し、更に、試験形式を示す情報、及び試験結果情報３０６（図３、後述する図９参照）へのリンク情報を保持する。【００５２】
最初の試験シナリオの抽出（ステップＳ４０１）では、例えば図７の試験シナリオ７０１が抽出され実行される。【００５３】
この試験シナリオ７０１に基づいて、試験シナリオ作成／送信部３０２は、まず、発信側の測定機器２０１として測定機器αに、ＲＥＧＩＳＴＥＲ要求を出力する（ステップ４０２）。このＲＥＧＩＳＴＥＲ要求には、試験シナリオ７０１（図７）から抽出された測定機器αのＩＰアドレス／ＵＲＩ、接続先レジストリサーバＡ２０２のＵＲＩ、及び接続先ＳＩＰサーバＡ２０３のＵＲＩが含まれ、これらが測定機器αにセットされる。【００５４】
この時点で、ＩＰアドレスが変更されたため、測定機器αは、自動的に再起動する。なお、ＩＰアドレスを手動で設定する場合には、自動再起動は不要である。【００５５】
その後、測定機器αは、自端末情報をレジストリサーバＡ２０２に登録させるために、下記のＲＥＧＩＳＴＥＲリクエスト処理を実行する（ステップＳ４０３〜Ｓ４０７）。【００５６】
まず、測定機器αは、それに設定された接続先レジストリサーバＡ２０２に対して、ＲＥＧＩＳＴＥＲリクエストを発行する（ステップＳ４０３）。【００５７】
最初は認証が完了していないため、レジストリサーバＡ２０２は、例えばダイジェスト認証（Ｗｅｂブラウザなどで一般的に用いられている認証方法）を促すための、メッセージ番号４０１番のＵｎＡｕｔｈｏｒｉｚｅｄメッセージを、測定機器αに返す（ステップＳ４０４）。【００５８】
これに対して、測定機器αは、自端末に関するダイジェスト認証の情報を付加したＲＥＧＩＳＴＥＲリクエストを再度、レジストリサーバＡ２０２に対して発行する（ステップＳ４０５）。【００５９】
レジストリサーバＡ２０２は、このＲＥＧＩＳＴＥＲリクエストに基づいて測定機器αの認証を行い、認証に成功すると、上記ＲＥＧＩＳＴＥＲリクエストによって指定されているＳＩＰサーバＡ２０３に対して、測定機器αのアドレス情報を登録する（ステップＳ４０６）。【００６０】
その後、レジストリサーバＡ２０２は、登録成功を示す、メッセージ番号２００番のＯＫメッセージを、測定機器αに返す（ステップＳ４０７）。特には図示していないが、この結果は同時に、ＩＰ電話自動試験制御装置２００内の試験シナリオ作成／送信部３０２（図３）に転送される。【００６１】
これにより、測定機器αの端末登録が完了する。【００６２】
次に、試験シナリオ作成／送信部３０２（図３）は、試験シナリオ７０１に基づいて、着信側の測定機器２０１として測定機器βに、ＲＥＧＩＳＴＥＲ要求を出力する（ステップ４０８）。このＲＥＧＩＳＴＥＲ要求には、試験シナリオ７０１（図７）から抽出された測定機器βのＩＰアドレス／ＵＲＩ、接続先レジストリサーバＡ２０２のＵＲＩ、及び接続先ＳＩＰサーバＡ２０３のＵＲＩが含まれ、これらが測定機器βにセットされる。【００６３】
この時点で、ＩＰアドレスが変更されたため、測定機器βは、自動的に再起動する。なお、ＩＰアドレスを手動で設定する場合には、自動再起動は不要である。【００６４】
その後、測定機器βは、自端末情報をレジストリサーバＡ２０２に登録させるために、図４のステップＳ４０８〜Ｓ４１３に示されるＲＥＧＩＳＴＥＲリクエスト処理を実行する。これらの処理は、測定機器αに関する、上述の図４のステップＳ４０３〜Ｓ４０７の各処理と全く同じであり、これにより、測定機器βの端末登録が完了する。【００６５】
測定機器α及び測定機器βの端末登録が完了した後、試験シナリオ作成／送信部３０２（図３）は、測定機器αに、測定機器βとの間の音声品質試験を行うためのＳＩＰセッションの開始を指示する試験シナリオを配布する（ステップＳ４１４）。【００６６】
この結果、測定機器αは、下記のＳＩＰセッション開始処理を実行する（ステップＳ４１４〜Ｓ４２０）。【００６７】
まず、発信側の測定機器αは、着信側の測定機器βに対して、ＳＩＰメッセージの一つである。ＩＮＶＩＴＥメッセージを送信する（ステップＳ４１５）。【００６８】
このメッセージを受け取った測定機器βは、処理中であることを表すメッセージ番号１００番のＴｒｙｉｎｇメッセージ（ステップＳ４１６）、呼び出し中であることを表すメッセージ番号１８０番のＲｉｎｇｉｎｎｇメッセージ（ステップＳ４１７）、着信準備が完了したことを表すメッセージ番号２００番のＯＫメッセージ（ステップＳ４１８）を、それぞれ発信側の測定機器αへ送信する。【００６９】
そして、ＯＫメッセージに対する応答メッセージであるＡＣＫメッセージを着信側の測定機器βが受信することで、ＳＩＰセッションが確立し、双方向の通話が可能となる。発信側の測定機器αは、ＩＰ電話自動試験制御装置２００に対して、ＳＩＰセッションが確立されたことを示すイベントを送信する（ステップＳ４２０）．
測定機器αと測定機器β間でのＳＩＰセッションの確立後、例えば品質測定を行うために、測定機器αが受信している試験シナリオ（ステップＳ４１４）に基づいて、発信側・着信側間でのＲＴＰ試験パケットの送受信処理が実施される（ステップＳ４２１）。【００７０】
この試験方式については、例えば特願２００６−３５６４８７に記載のような、ＩＰネットワークに配置された複数の測定機器間で試験用ＲＴＰパケットを対向する測定機器に送信する方式が適用できる。【００７１】
上記の試験が終了すると、発信側の測定機器αは、着信側の測定機器βに対して、ＳＩＰセッションの終了を要求するＢＹＥメッセージを送信する（ステップＳ４２２）。【００７２】
そして、ＢＹＥメッセージに対する着信側の測定機器βからの応答メッセージであるＯＫメッセージを発信側の測定機器αが受信することで、ＳＩＰセッションが終了する（ステップＳ４２３）。【００７３】
発信側の測定機器αは、試験の完了と試験結果を、ＩＰ電話自動試験制御装置２００内の品質管理部３０３（図３）に送信する（ステップＳ４２４）。【００７４】
ＩＰ電話自動試験制御装置２００内の試験シナリオ作成／送信部３０２（図３）は、図７に示される試験シナリオ情報３０４から、次の試験シナリオ７０２を抽出し（ステップＳ４２５）、試験シナリオ７０１の場合と同じ制御を実施する。試験シナリオ７０２では、試験シナリオ７０１の場合とは逆に、発信側の測定機器２０１が測定機器βとされ、着信側の測定機器２０１が測定機器αとされて、音声品質試験が実施される。この動作は、図４のステップＳ４０２〜Ｓ４２４までの一連の処理と同様である。【００７５】
以上のようにして、試験シナリオ作成／送信部３０２が、試験シナリオ情報３０４の行を順次読み込むことにより、試験対象を順次変更しながら自動試験を実施することができる。【００７６】
図５は、図４のステップＳ４１５の、発信側の測定機器２０１から着信側の測定機器２０１に対するＩＮＶＩＴＥメッセージの送信に対して、着信側の測定機器２０１から何らかのエラーメッセージが返却された場合の動作シーケンス図である。図５では、メッセージ番号４８６番のＢｕｓｙＨｅｒｅメッセージが返却されている。【００７７】
発信側の測定機器２０１は、異常メッセージを、自端末内に持っている規定回数（図５の例では２回）を超えて受信した場合（ステップＳ５０１〜Ｓ５０６）、着信側の測定機器２０１が異常であると判断し、ＩＰ電話自動試験制御装置２００に、ＳＩＰセッション確立失敗のイベントを送信する（ステップＳ５０７）。【００７８】
仮に、図４のステップＳ４１６〜Ｓ４１８に示されるように、規定回数以内に正常メッセージが受信された場合には、正常と判断され処理が継続される。【００７９】
図６は、図４のステップＳ４１５の、発信側の測定機器２０１から着信側の測定機器２０１に対するＩＮＶＩＴＥメッセージの送信に対して、着信側の測定機器２０１から何の応答もない場合の動作シーケンス図である。【００８０】
発信側の測定機器２０１は、自端末内に持っているタイムアウト値を超えて反応がない場合には、ＩＮＶＩＴＥメッセージ送信をリトライする（ステップＳ５０２）。【００８１】
発信側の測定機器２０１は、上記リトライが自端末内に持っている規定回数（図６の例では２回）を超えて実行された場合、着信側の測定機器２０１が異常であると判断し、ＩＰ電話自動試験制御装置２００に、ＳＩＰセッション確立失敗のイベントを送信する（ステップＳ６０４）。【００８２】
仮に、図４のステップＳ４１６〜Ｓ４１８に示されるように、規定回数以内に正常メッセージが受信された場合には、正常と判断され処理が継続される。【００８３】
図８は、発信側の測定機器２０１と着信側のＩＰ電話機との間で疎通試験が実施される場合の試験シナリオ情報３０４のフォーマット例を示す図である。【００８４】
ＩＰ電話機は試験パケットに対する応答ができないため、測定機器２０１とＩＰ電話機の間では音声品質試験を指定することはできないが、ＲＥＧＩＳＴＥＲリクエストによるレジストリサーバ２０２の生死確認試験、ＳＩＰシグナリングによるＳＩＰサーバ２０３の生死確認試験、及びＩＰ電話機の生死確認試験は行うことが可能である。従って、この場合には、図４でステップＳ４２１を除いた動作シーケンスと、必要に応じて、図５又は図６の動作シーケンスが実行される。【００８５】
なお、本発明に係わるＩＰ自動試験手法では、対向する測定機器が存在しない場合でも、レジストリサーバ２０２とＳＩＰサーバ２０３の生死確認を実施することが可能で、この手法は、障害時の問題切り分けの過程において有用なものとなる。【００８６】
図９は、品質試験結果情報３０５（図３）の情報フォーマットを示す図である。【００８７】
図９に示される品質試験結果情報３０５のリストは、発信側・着信側の測定機器２０１又はＩＰ電話機の情報を記載するとともに、レジストリサーバ２０２、ＳＩＰサーバ２０３への接続結果、その他品質測定結果等について情報がリスト化されている。【００８８】
各経路の結果を一覧で表示することにより、ＩＰネットワークにおいて、どこが異常になっているかが一目で判別でき、障害切り分けを実施する際に有用である。【００８９】
以上説明したように、本発明に係るＩＰ電話自動試験システムを用いて、測定機器２０１を上位のＩＰ網（よりＩＰ電話機から遠くエリアがまとめられた中継装置上）に設置することにより、使用する測定機器２０１の台数を減らすことが可能で、測定機器２０１のＩＰアドレス、電話番号、接続先レジストリサーバ２０２、接続先ＳＩＰサーバ２０３等の変更を自動で実施することが可能となるため、試験工数及び設定ミスなどが減少する。また、測定機器一台で多種の条件による品質測定、レジストリサーバの生死確認、及びＳＩＰサーバの生死確認を行うことが可能となる。このため、ＩＰ網における品質測定の方法として有用であり、特に、企業網により接続されるレジストリサーバ、ＳＩＰサーバが異なる環境に適している。
【図１】
2009047829.tif 000003
【図２】
2009047829.tif 000004
【図３】
2009047829.tif 000005
【図４】
2009047829.tif 000006
【図５】
2009047829.tif 000007
【図６】
2009047829.tif 000008
【図７】
2009047829.tif 000009
【図８】
2009047829.tif 000010
【図９】
2009047829.tif 000011
【国際調査報告】
2009047829.tif 000012
2009047829.tif 000013
2009047829.tif 000014